(57)【要約】【課題】  遊技機の前扉前面に設けられたコントロールパネルの厚みが増すことにより、前扉を開く際に隣設する遊技機に対して干渉するという問題を解決する。【解決手段】  遊技機１の前扉２を開閉可能に支持する蝶番４であって、前記遊技機１は本体３に誘導溝４４を備え、前記蝶番４は、一端４１ａを本体３に回動可能に軸支され他端４１ｂを前扉２に回動可能に軸支される第１リンク４１と、一端４２ａを前記誘導溝４４に係合され他端４２ｂを前扉２に軸支される第２リンク４２とを備えることを特徴とする遊技機１の前扉用蝶番４とした。【選択図】  図１
2005111222.tif 000002
【特許請求の範囲】
【請求項１】
遊技機の前扉を開閉可能に支持する蝶番であって、該蝶番は、一端を遊技機本体に回動可能に軸支され他端を前扉に回動可能に軸支される第１リンクを備えることを特徴とする遊技機の前扉用蝶番。
【請求項２】
前記蝶番は、前記遊技機本体に設けられた誘導溝と、一端を前記遊技機本体に回動可能に軸支され他端を前記前扉に回動可能に軸支される第１リンクと、一端を前記誘導溝に係合され他端を前扉に軸支される第２リンクとを備えることを特徴とする請求項１記載の遊技機の前扉用蝶番。
【請求項３】
前記誘導溝は、前記前扉を開放する状態において前記第２リンクを係合する前扉開位置と前記前扉を閉鎖する状態において前記第２リンクを係合する前扉閉位置とを備え、前記前扉開位置は前記前扉閉位置に対して相対的に前記遊技機の開口側に配設されていることを特徴とする請求項２記載の遊技機の前扉用蝶番。
【請求項４】
前記誘導溝は、前記前扉を開放する状態において前記第２リンクを係合する前扉開位置と前記前扉を閉鎖する状態において前記第２リンクを係合する前扉閉位置とを備え、前記前扉閉位置は前記前扉開位置に対して相対的に前記遊技機の前記第１リンクの回転中心側に配設されていることを特徴とする請求項２または３記載の遊技機の前扉用蝶番。
【発明の詳細な説明】
【技術分野】
【０００１】  本発明はパチンコ、スロットマシン等の遊技機の正面に取り付けられる前扉用蝶番の取付構造に関する。
【背景技術】
【０００２】  従来、遊技機の正面に取り付けられる前扉には、前面にはスタートレバーやベットボタン、ストップボタンなど遊技を行うための機器が配置されたコントロールパネルを備えている。また、前扉の背面側端部には蝶番を備えており、蝶番を介して遊技機の本体開口端に開閉可能に取り付けられている。このような従来の遊技機では、前扉は蝶番の回転軸を中心に開閉され、遊技機の修理あるいは保守等の際には、前扉を開き、遊技機内部に配置されたコイン払い出し装置や制御装置等の機器の操作を行っている。
【特許文献１】  特許２５２５６３４号公報（図３）
【発明の開示】
【発明が解決しようとする課題】
【０００３】  しかしながら、他の遊技機との差別化を図るために、遊技機の前扉のデザインは複雑・多様化し、凹凸形状を大きくすることによる意匠性及び操作性の向上、演出装置を設置するための空間の確保などを目的として、コントロールパネルの厚みは増す方向にある。【０００４】  その一方で、コントロールパネルの厚みが増すと、前扉の厚み方向の回転半径が大きくなり前扉を開いた時に遊技機の幅方向へ前扉の厚み方向の突出量が大きくなるため、隣に設置された遊技機またはコイン貸出装置等の装置と接触してしまうという問題が発生する。また、遊技機を設置する遊技場の営業時間内において突発的な不具合の対応を行う際に前扉を開くと、隣設する遊技機を操作している遊技者に対して圧迫感や不快感を与えることとなっていた。【０００５】  そのため、これまでは、遊技機と両隣の遊技機との間に十分にスペースを設け、遊技機の前扉を開く際に隣の遊技機に対して干渉したり、隣の遊技者に対して不快感を与えることがないようにされている。なお、そのスペースには、コイン貸出装置が設置されている。【０００６】  しかしながら、コイン貸出装置が設置されているとしても、１台の遊技機に１台のコイン貸出装置が必要であるわけでもなく、２台の遊技機の間に１台のコイン貸出装置があればよいが、遊技機を両隣の遊技機と十分なスペースを空けて設置することによって、遊技機を１台設置するためのスペースが大きく必要になるため、遊技場内に設置できる遊技機数が減少することとなっている。【０００７】  本発明は上記課題を解決したもので、遊技機の前扉を開放する際にコントロールパネルが遊技機の幅方向に突出する量を減少し、隣に設置された遊技機に対して接触・干渉することのない遊技機の前扉用蝶番を提供する。
【課題を解決するための手段】
【０００８】  上記技術的課題を解決するために、本発明の請求項１において講じた技術的手段（以下、第１の技術的手段と称する。）は、遊技機の前扉を開閉可能に支持する蝶番であって、該蝶番は、一端を遊技機本体に回動可能に軸支され他端を前記前扉に回動可能に軸支される第１リンクを備えることを特徴とする遊技機の前扉用蝶番である。【０００９】  上記第１の技術的手段による効果は、以下の通りである。遊技機の前扉を開閉可能に支持する蝶番において、一端を遊技機本体に回動可能に軸支され他端を前扉に回動可能に軸支される第１リンクを備える蝶番を介して、遊技機本体と前扉とを連結することにより、前扉を開放する時に前扉を軸支する回転軸が２軸となる。これにより前扉の配置に関する自由度が上がり、開放した前扉が遊技機の幅方向に突出する量を減少するような配置が可能となる。【００１０】  上記技術的課題を解決するために、本発明の請求項２において講じた技術的手段（以下、第２の技術的手段と称する。）は、前記蝶番は、前記遊技機本体に設けられた誘導溝と、一端を前記遊技機本体に回動可能に軸支され他端を前記前扉に回動可能に軸支される第１リンクと、一端を前記誘導溝に係合され他端を前扉に軸支される第２リンクとを備えることを特徴とする遊技機の前扉用蝶番である。【００１１】  上記第２の技術的手段による効果は、以下の通りである。遊技機本体に設けられた誘導溝と、一端を遊技機本体に回動可能に軸支され他端を前扉に回動可能に軸支される第１リンクと、一端を前記誘導溝に係合され他端を前扉に軸支される第２リンクとを備えることにより、前扉を開放できる範囲を規制することができる。これにより、前扉の開放を適切に制御することができる。また、開放した前扉が遊技機の幅方向に突出する量を減少することができる。【００１２】  上記技術的課題を解決するために、本発明の請求項３において講じた技術的手段（以下、第３の技術的手段と称する。）は、前記誘導溝は、前記前扉を開放する状態において前記第２リンクを係合する前扉開位置と前記前扉を閉鎖する状態において前記第２リンクを係合する前扉閉位置とを備え、前記前扉開位置は前記前扉閉位置に対して相対的に前記遊技機本体の開口側に配設されていることを特徴とする請求項２に記載の遊技機の前扉用蝶番である。【００１３】  上記第３の技術的手段による効果は、以下の通りである。前記前扉を開放する状態において前記第２リンクを係合する前扉開位置と前記前扉を閉鎖する状態において前記第２リンクを係合する前扉閉位置とを備え、前記前扉開位置は前記前扉閉位置に対して前記遊技機本体の開口側に配設することにより、閉鎖位置における前扉と遊技機の開口部との間隔をより狭くすることができ、開放位置における前扉の開き角度をより大きくすることができる。【００１４】  上記技術的課題を解決するために、本発明の請求項４において講じた技術的手段（以下、第４の技術的手段と称する。）は、前記誘導溝は、前記前扉を開放する状態において前記第２リンクを係合する前扉開位置と前記前扉を閉鎖する状態において前記第２リンクを係合する前扉閉位置とを備え、前記前扉閉位置は前記前扉開位置に対して相対的に前記遊技機の前記前扉の回転中心側���配設されていることを特徴とする請求項２または３に記載の遊技機の前扉用蝶番である。【００１５】  上記第４の技術的手段による効果は、以下の通りである。前記前扉を開放する状態において前記第２リンクを係合する前扉開位置と前記前扉を閉鎖する状態において前記第２リンクを係合する前扉閉位置とを備え、前記前扉閉位置は前記前扉開位置に対して相対的に前記前扉の回転中心側に配設することにより、開放位置における前扉の突出量をより減少することができる。
【発明の効果】
【００１６】  以上のように、本発明は、遊技機の前扉を開閉可能に支持する蝶番であって、前記遊技機は本体に誘導溝を備え、前記蝶番は、一端を遊技機本体に回動可能に軸支され他端を前扉に回動可能に軸支される第１リンクと、一端を前記誘導溝に係合され他端を前扉に軸支される第２リンクとを備えることを特徴とする遊技機の前扉用蝶番であるので、蝶番は前扉を開閉するための回転軸を２軸備え、これにより前扉を回動することに対する自由度が増加するため、前扉を開いた際に前扉前面が遊技機側面方向に対して突出する幅を減少することができる。したがって、前扉を開放した際に隣の遊技機に看取することが無く、また隣で遊技機を操作している遊技者に対して不快感を与えることの無い遊技機を提供することができる。
【発明を実施するための最良の形態】
【００１７】  以下、本発明の実施例について、図面に基づいて説明する。【００１８】  図１は、本発明に係る遊技機の前扉用蝶番４を備えた遊技機１の構成を示したものである。遊技機１が解錠され、遊技機１の本体３前面に設けられた前扉２が開放されている状態を模式的に示した分解斜視図である。【００１９】  遊技機１は、遊技機１を操作するためのコントロールパネルを備える前扉２と、前面に開口部を備える本体３と備えており、前扉２は本体３の開口部を被覆するように設けられている。また、前扉２の一側面２ａは、蝶番４を介して本体３の一側面３ａに枢支されており、前扉２は蝶番４により本体３に対して回動し開閉可能な構成となっている。【００２０】  前扉２は、遊技機１を操作する遊技者に対面し、前面には遊技を行うためのレバーまたはボタンが配置されたコントロールパネルと、遊技機１の本体３に納められたリール（図示しない）を遊技者に表示するための透過窓（図示しない）と、遊技機の視覚的演出を行う演出装置（図示しない）と、遊技を行うためにコインを投入するコイン投入口（図示しない）と、遊技機１から払い出されたコインを貯留するコイン受け皿（図示しない）とを備え、背面にはコイン投入口から投入されたコインを識別するコインセレクタ（図示しない）を備えている。また、前扉２の側面には、後述する蝶番４との連結部を備え蝶番４の第１リンク４１及び第２リンク４２と連結する。【００２１】  本体３は、前面に開口部を備える略直方体状の箱体であり、内部には、遊技によって回動し抽選結果を表示するリールと、抽選結果にしたがってコインを払い出すコイン送出装置と、リールやコイン送出装置などの制御を行う制御装置（図示しない）を備えている。ここで、リールは透過窓に対面するように配置され、コイン送出装置はコイン投入口から投入されたコイン受入れさらに制御装置の指示に従ってコインをコイン受け皿に払い出すように配置されている。また、本体３は、前扉２の一側面に対向する部分には、後述する蝶番４との連結部を備え蝶番４の誘導板４３を係合する。【００２２】  蝶番４は、第１リンク４１と、第２リンク４２と、誘導板４３とを備えており、本体３の開口部から前方に誘導板４３を前扉２に対向して係止し、第１リンク４１を前扉２外周面上および誘導板４３側端部に軸支することによって、前扉２を本体３前面に支持している。【００２３】  第１リンク４１は金属製の板部材であり、遊技機１の前扉２と本体３とを連結し、一端４１ａを誘導板４３の側端部に軸支し、他端を第２リンク４２の他端４２ｂに軸支している。第２リンク４２は略「く」の字形に折り曲げ成形された金属製の板部材であり、一端４２ａを誘導板４３に形成された誘導溝４４に摺動可能に係合し、他端４２ｂを前扉２に接合している。また、第２リンク４２の一端４２ａは前扉２上面後部に配置され、他端４２ｂは前扉２の幅方向に沿って配置されている。【００２４】  ここで、本体３側において第１リンク４１と第２リンク４２はそれぞれ誘導板４３に軸支、係合し、前扉２側において第１リンク４１は第２リンク４２に軸支されているため、位置関係によってはお互いに干渉する可能性がある。そこで、本実施例においては、第２リンク４��の一端４２ａの誘導溝４４との係合部にスペーサー（図示しない）を噛ませることにより第２リンク４２と誘導板４３との間に第１リンク４１が進入するための隙間を形成し、第１リンク４１と第２リンク４２とが干渉しないようにしている。【００２５】  誘導板４３は金属製の板部材であり、本体３の開口部上端から前方に突出して配設され、側端部に形成された第１リンク４１との連結部に隣接して誘導溝４４を形成している。誘導溝４４は第２リンク４２の一端４２ａと係合し、前扉２が開閉する際には第２リンク４２の一端４２ａが誘導溝４４内を摺動する。【００２６】  誘導溝４４は、平行な２本の線分を緩やかな曲線部４４ｃで連結した形状を備え、誘導板４３に遊技機１の幅方向に沿って延設され、第１リンク４１と隣接する一端に前扉２の閉鎖状態において前記第２リンク４２を係合する閉位置４４ａを備え、他端に前扉２の開放状態において前記第２リンク４２を係合する開位置４４ｂを備えている。なお、誘導溝４４の前扉２閉状態において前記第２リンク４２を係合する閉位置４４ａは、前扉２開状態において前記第２リンク４２を係合する開位置４４ｂに対して、遊技機１の本体３奥行き方向に関してより奥に設定されている。また、前扉閉位置４４ａは前扉開位置４４ｂに対して相対的に遊技機１の第１リンク４１の回転中心側となる４１ａ付近に配設されている。これにより、前扉２閉鎖時において前扉２と本体３との間隔を極小に設定することができ、さらには前扉２の開閉動作時において前扉２と本体３とが干渉することを防止することができる。【００２７】  遊技機１は以上のような構造を備え、前扉２を閉じた時に前扉２が本体３の開口部を被覆すると共に、前扉２が本体３に対して回動し本体３の開口部を開放する蝶番４を本体３の上下に配置することにより、開閉可能に前扉２を支持している。また、蝶番４には上記のように誘導溝４４に前扉２の閉位置４４ａと前扉２の開位置４４ｂとを設定されている。これによって、前扉２を開放した時に、前扉２に係合された第２リンク４２の一端４２ａが誘導溝４４に誘導されて前扉２の閉位置４４ａから開位置４４ｂに移動することにより、前扉２は遊技機１の幅方向について遊技機１内側方向に引き込まれるため、前扉２が遊技機１の幅方向への突出する量は減少される。さらに、誘導溝４４の形状をより適切に設定することによって、前扉２が遊技機１の幅方向への突出する量はさらに減少され、図２に示すように、前扉２を開いた状態において全く突出しなくすることも可能である。【００２８】  次に、本実施例の遊技機１の作動について説明する。図２は本実施例の遊技機１について前扉２および蝶番４に着目して、前扉２の開閉過程における各部材の位置関係を模式的に上面視で図示したものである。なお、図２は、蝶番４の動作状態を理解しやすくするために、誘導板４３および誘導溝４４は一点鎖線にて表示して、本来誘導板４３の下部に配置される遊技機１の構成部材を可視的に表示している。【００２９】  まず、前扉２が本体３に対して閉じられている状態（図２（ａ）参照）において説明を行う。前扉２は本体３の前面にほぼ平行に配置されており、本体３の開口部を閉鎖している。この状態において、前扉２と���体３とを連結する蝶番４の第１リンク４１は略遊技機１の幅方向に沿って配置され、第２リンク４２の一端４２ａは誘導溝４４の閉鎖位置４４ａに位置している。【００３０】  前扉２を開き始めると（図２（ｂ）参照）、第１リンク４１の一端４１ａが回動し、前扉２は第１リンク４１の一端４１ａを中心に回動を行う。このとき第２リンク４２の一端４２ａは誘導溝４４の閉鎖位置４４ａから離脱し、誘導溝４４を摺動し曲線部４４ｃへと進行する。【００３１】  さらに前扉２を開くと（図２（ｃ）参照）、第１リンク４１の他端４１ｂが回動し、これにより前扉２は第１リンク４１の他端４１ｂの軸支部を中心に回動を行う。これに伴い、第２リンク４２の一端４２ａは誘導溝４４を摺動して曲線部４４ｃに進入し、遊技機１の奥行き方向に関して前方に移動するので、前扉２は全体的に前方に移動され、前扉２と本体３との間に隙間が生じる。これにより前扉２が回動する際に本体３と干渉することがなくなる。【００３２】  そして、さらに前扉２を開き、前扉２を完全に開放すると（図２（ｄ）参照）、第１リンク４１の他端４１ｂがさらに回動し、第２リンク４２の一端４２ａは誘導溝４４の開位置４４ｂに移動する。このとき第２リンク４２の摺動に伴って、第１リンク４１と第２リンク４２とに軸支された前扉２は、全体的に本体３側へと徐々に移動される。最終的には、前扉２は遊技機１の本体３に対してほぼ直角に配置され扉２が開放されることとなる。【００３３】  以上のように、本実施例の遊技機１によれば、前扉２及び誘導板４３に軸支する第１リンク４１と、一端４２ａを誘導溝４４に係合し他端４２ｂを前扉２に係止する第２リンク４２と、遊技機１の本体３の前面に設けられた開口部の上端に突出係止され誘導溝４４を形成された誘導板４３とを備える蝶番４とを備えることにより、前扉２を開閉する際に前扉２が略平行な２軸を回転軸として持つことにより前扉２が回転する自由度が増加し、前扉２解放時において前扉２が本体３幅方向に突出する量を減少することができる。【００３４】  また、略「く」の字形状をなし、一端４２ａを誘導板４３に形成された誘導溝４４に係合し他端４２ｂを前扉２に係止する第２リンク４２を設けることによって、第２リンク４２の一端４２ａが前扉２の開閉に伴って誘導溝４４内を摺動することにより前扉２を本体３の幅方向内側に引き込み前扉２の突出量を適切に制御することができる。【００３５】  さらに、誘導溝４４の溝形状について、前扉２の閉位置４４ａを第１リンク４１に隣接して設け、開位置４４ｂを閉位置４４ａに相対的に遊技機１の前方に設け、閉位置４４ａと開位置４４ｂとを含む２本の平行な線分を曲線部４４ｃで連結することにより、前扉２閉鎖時において前扉２と本体３との間隔を可及的に小さくすることおよび、前扉２の開閉において前扉２と本体３とが干渉することを防止可能である。【００３６】  また、前扉２と本体３との間隔を極小とすることにより、この間隔に細い工具を差し込む等による不法行為を防止することができる他、前扉２を開放した際に前扉２が本体３の幅方向について外側に突出することがないので、遊技機１の保守作業を行う際に、隣で遊技を行っている遊技者に対して圧迫感や不快感を��えることがない。【００３７】  なお、本実施例においては前扉２の一側面２ａ及び本体３の一側面３ａに係止した蝶番４について説明を行ったが、前扉２の一側面２ａに対向する前扉２の他側面２ｂ（図示しない）及び本体３の一側面に対向する本体３の他側面３ｂ（図示しない）に蝶番４に対向する蝶番５（図示しない）を係止し、蝶番４及び蝶番５により本体３を支持する構成とすることも可能である。【００３８】  また、蝶番４の第１リンク４１は本実施例においては一端４１ａを誘導板４３に軸支し、他端４１ｂを第２リンク４２に軸支しているが、これに限らず、一端４１ａを遊技機１の本体３に直接軸支することも可能である。また、他端４１ｂについても、第２リンク４２に軸支せず、前扉２に直接軸支することも可能である。【００３９】  さらに、前扉２に取り付けられた蝶番４の第２リンク４２を略「く」の字形状することにより前扉２と蝶番４との係合をより強固にしているが、これに限らず、円弧状や、長方形状の平板等に置き換えることも可能である。また、第２リンク４２は本実施例においては前扉２と一体的に回動する構成としたが、第２リンク４２を前扉２に対して相対的に回動可能とすることも可能である。また、第２リンクを４２廃し、前扉２を第１リンク４１および誘導溝４４と直接係合する構成とすることも可能である。【００４０】  さらに、蝶番４の誘導板４３は、本実施例においては、本体３の開口部上端から前方に突出形成されているが、これに限らず、本体３と誘導板４３とを一体成形し本体３に誘導溝４４を形成することにより、本体３が蝶番４の一部を構成するようにすることも可能である。【００４１】  また、誘導溝４４の形状についても、本実施例においては、平行な２本の線分を緩やかな曲線で連結した形状としたが、これに限らず、直線または曲線のみで形成することも可能である。また、誘導溝４４の長さは、本実施例においては、前扉２を開放した際に前扉２が遊技機１の本体３に対して略直角と配置されるように設定したが、これを調整することにより前扉２の開く角度を変更することも可能である。具体的には、誘導溝４４を短くすることにより前扉２の開く角度は小さくすることができ、長くすることにより角度を大きくすることができる。
【図面の簡単な説明】
【００４２】
【図１】  本発明の実施形態にかかる遊技機の構成を示す概略斜視図である。
【図２】  本発明の実施形態にかかる遊技機の前扉開閉時における蝶番の動作を示す動作図である。
【符号の説明】
【００４３】１…遊技機
２…前扉
３…本体（遊技機本体）
４…蝶番
４１…第１リンク
４２…第２リンク
４４…誘導溝
４４ａ…閉位置
４４ｂ…開位置
【図１】
2005111222.tif 000003
【図２】
2005111222.tif 000004